(57)【要約】【課題】取扱作業や設置作業での作業性が高く、しかも火災時等でのガラス板の落下を防止することができる建具を提供する。【解決手段】建具１０において、障子１６は、四周端部に配設される骨材２８によって互いに間隔を隔てて対面配置された一対のガラス板３０，３１と、骨材２８に連結され、一対のガラス板３０，３１の四周端面を覆うように設けられる上框２４ａ、下框２４ｂ及び縦框２４ｃとを有し、縦框２４ｃには、一方のガラス板３０を挟んで骨材２８と対向する保持片３８が設けられており、骨材２８及び縦框２４ｃは不燃性又は難燃性の材料によって形成されている。【選択図】図３
2015190173.tif 000002
【特許請求の範囲】
【請求項１】
建物の躯体の開口部に固定される樹脂製の枠体と、該枠体の内側に取り付けられる障子とを備える建具であって、
前記障子は、四周端部に配設される骨材によって互いに間隔を隔てて対面配置された一対のガラス板と、前記骨材に連結され、前記一対のガラス板の四周端面を覆うように設けられる框材とを有し、該框材には、少なくとも一方のガラス板を挟んで前記骨材と対向する保持片が設けられており、
前記骨材及び前記框材は不燃性又は難燃性の材料によって形成されていることを特徴とする建具。
【請求項２】
請求項１記載の建具において、
前記框材と前記躯体との間を連結可能な支持構造を備え、該支持構造は不燃性又は難燃性の材料によって形成されていることを特徴とする建具。
【請求項３】
請求項１又は２記載の建具において、
前記骨材は、前記一対のガラス板の内面に沿って設けられる一対の保持部と、
該一対の保持部の間を連結し、前記框材とねじ止めされる連結部とを有し、
少なくとも一方の前記保持部が前記一方のガラス板を挟んで前記保持片と対向配置されていることを特徴とする建具。
【請求項４】
請求項３記載の建具において、
前記連結部は、前記一対のガラス板の各端面と面一に配置されていることを特徴とする建具。
【請求項５】
請求項１〜４のいずれか１項に記載の建具において、
前記支持構造は、前記枠体と前記躯体との間に介在し、前記躯体にねじ止めされる第１部材と、
前記枠体の内部に配設され、前記第１部材にねじ止めされる第２部材と、
前記框材と前記枠体との間に介在し、前記第２部材及び前記框材とそれぞれねじ止めされる第３部材とを備えることを特徴とする建具。
【請求項６】
請求項１〜５のいずれか１項に記載の建具において、
少なくとも前記框材と前記ガラス板又は前記枠体との間には、加熱されると膨張する熱膨張性部材が設けられていることを特徴とする建具。
【発明の詳細な説明】
【技術分野】
【０００１】
本発明は、枠体と障子とを備える建具に関する。
【背景技術】
【０００２】
住宅等の建物に設けられる窓には、躯体の開口部に固定された枠体の内側にガラス板を配置し、ガラス板の外面側を保持する押縁を枠体に装着した構成の建具が広く用いられている。このような押縁を装着する構成の場合、建具の設置現場での押縁の装着作業が必要であり、手間がかかる。しかも、むき出しのガラス板を建具の設置現場まで運搬して取り付ける必要があり、特に大型の窓等ではその取り扱いが難しいものとなっている。
【０００３】
そこで、一対のガラス板の間に形状要素を設けた複層ガラスを用いる建具において、ガラス板の四周端面を覆うように框材を設け、框材と形状要素とをねじ止めして一体化した障子が提案されている（特許文献１参照）。この障子によれば、ガラス板と框材とが一体化されているため、その運搬作業や枠体への取付作業での作業性が高い。
【先行技術文献】
【特許文献】
【０００４】
【特許文献１】特開昭６２−１５６４９１号公報
【発明の概要】
【発明が解決しようとする課題】
【０００５】
ところで、近年、アルミサッシでの断熱性能や結露等の問題を解消すべく、塩化ビニル樹脂等からなる樹脂製のサッシ（樹脂サッシ）が多く用いられてきている。
【０００６】
ところが、このような樹脂サッシは火炎に晒された際、枠体が溶融して変形したり燃焼したりすることにより、ガラス板が室内外に落下するおそれがある。この点に関し、特許文献１のように複層ガラスの形状要素を框材に一体的にねじ止めしていても、この構成を樹脂サッシの枠体に転用した場合には、枠体の溶融によってガラス板が簡単にぐらつくため、その落下を防止することは難しい。
【０００７】
本発明は、上記従来技術の課題を考慮してなされたものであり、取扱作業や設置作業での作業性が高く、しかも火災時等でのガラス板の落下を防止することができる建具を提供することを目的とする。
【課題を解決するための手段】
【０００８】
本発明に係る建具は、建物の躯体の開口部に固定される樹脂製の枠体と、該枠体の内側に取り付けられる障子とを備える建具であって、前記障子は、四周端部に配設される骨材によって互いに間隔を隔てて対面配置された一対のガラス板と、前記骨材に連結され、前記一対のガラス板の四周端面を覆うように設けられる框材とを有し、該框材には、少なくとも一方のガラス板を挟んで前記骨材と対向する保持片が設けられており、前記骨材及び前記框材は不燃性又は難燃性の材料によって形成されていることを特徴とする。
【０００９】
このような構成によれば、一対のガラス板の間に設けられた骨材と、その四周端面を覆う框材とが連結されることにより、ガラス板の運搬時等の取扱作業が容易になり、また設置現場での押縁の装着作業等が不要であることから設置作業の作業性も向上する。しかも、框材にガラス板を挟んで骨材と対向する保持片を設けているため、建具が火災等を受けて枠体が溶融し或いは焼失した場合であっても保持片と骨材との間にガラス板を安定して保持しておくことができ、ガラス板の落下を防止できる。
【００１０】
本発明に係る建具において、前記框材と前記躯体との間を連結可能な支持構造を備え、該支持構造は不燃性又は難燃性の材料によって形成されているとよい。そうすると、火災等によって枠体が溶融等した場合であっても、支持構造によって躯体と障子との間の連結状態を保持しておく防火構造が構築でき、障子の転倒や落下を防止できる。
【００１１】
本発明に係る建具において、前記骨材は、前記一対のガラス板の内面に沿って設けられる一対の保持部と、該一対の保持部の間を連結し、前記框材とねじ止めされる連結部とを有し、少なくとも一方の前記保持部が前記一方のガラス板を挟んで前記保持片と対向配置されているとよい。そうすると、火災等によって枠体が溶融等した場合であっても、保持片と保持部との間でガラス板をより安定して保持しておくことができる。
【００１２】
本発明に係る建具において、前記連結部は、前記一対のガラス板の各端面と面一に配置されていることが好ましい。そうすると、骨材と框材との間を近接位置で直接的にねじ止め固定することができる。これにより、火災等によって枠体が溶融等した場合にも、框材と障子（骨材）との間にぐらつき等を生じることを防止でき、障子をより安定して保持しておくことができる。
【００１３】
本発明に係る建具において、前記支持構造は、前記枠体と前記躯体との間に介在し、前記躯体にねじ止めされる第１部材と、前記枠体の内部に配設され、前記第１部材にねじ止めされる第２部材と、前記框材と前記枠体との間に介在し、前記第２部材及び前記框材とそれぞれねじ止めされる第３部材とを備えてもよい。これにより、建物の躯体から障子の框材までの間の各部材間をねじ止めした簡素な構造で容易に防火構造とすることができる。
【００１４】
本発明に係る建具において、少なくとも前記框材と前記ガラス板又は前記枠体との間には、加熱されると膨張する熱膨張性部材が設けられていると、火災等における遮炎効果があり框材の損傷を防止できる。
【発明の効果】
【００１５】
本発明によれば、ガラス板の運搬時等の取扱作業が容易になり、また設置現場での押縁の装着作業等が不要であることから設置作業の作業性も向上する。しかも、建具が火災等を受けて枠体が溶融し或いは焼失した場合であっても保持片と骨材との間にガラス板を安定して保持しておくことができ、ガラス板の落下を防止できる。
【図面の簡単な説明】
【００１６】
【図１】図１は、本発明の一実施形態に係る建具の縦断面図である。
【図２】図２は、図１に示す建具の横断面図である。
【図３】図３は、図２に示す建具の一側部の拡大図である。
【図４】図４は、変形例に係る支持構造を備えた建具の一側部の拡大図である。
【発明を実施するための形態】
【００１７】
以下、本発明に係る建具について好適な実施の形態を挙げ、添付の図面を参照しながら詳細に説明する。
【００１８】
図１は、本発明の一実施形態に係る建具１０の縦断面図であり、図２は、図１に示す建具１０の横断面図である。
【００１９】
図１及び図２に示すように、建具１０は、建物の躯体１２の開口部１２ａに固定される枠体１４と、枠体１４の内側に取り付けられる障子１６とを備える。本実施形態では、障子１６を枠体１４の内側に嵌め殺し窓である建具１０を例示する。
【００２０】
枠体１４は、上枠１４ａと、下枠１４ｂと、左右の縦枠１４ｃ，１４ｃとを四周枠組みすることで矩形の開口部を形成したものである。上枠１４ａ、下枠１４ｂ及び縦枠１４ｃは、塩化ビニル樹脂（ＰＶＣ）等の樹脂の押出形材である。これら上枠１４ａ、下枠１４ｂ及び縦枠１４ｃは、所定長さで切断した同一の枠部材によって形成され、その断面形状は同一となっている。
【００２１】
上枠１４ａは、図１に示すように、見込み面に障子１６が配置される障子配置部１８を有する。障子配置部１８よりも室内側となる部分に突出部２０が設けられ、障子配置部１８よりも室外側となる部分に水切り部２２が設けられている。上記のように下枠１４ｂ及び縦枠１４ｃは、上枠１４ａと同一の断面形状を有するため、それぞれ障子配置部１８、突出部２０及び水切り部２２を有する（図１及び図２参照）。
【００２２】
障子１６は、四周を囲む框材である上框２４ａ、下框２４ｂ及び左右の縦框２４ｃ，２４ｃと、内側に配置される面材２６とを框組みして構成されている。
【００２３】
面材２６は、断面略Ｕ字状の骨材２８によって一対のガラス板３０，３１を互いに間隔を隔てて対面配置した２層の複層ガラスである。本実施形態の場合、室外側に配置されるガラス板３０は、網入りの厚板ガラスとし、室内側に配置されるガラス板３１は、薄板ガラスとしている。
【００２４】
骨材２８は、各ガラス板３０，３１の内面に沿って設けられる一対の保持部２８ａ，２８ａと、これら保持部２８ａ，２８ａ間を繋ぐ連結部２８ｂとを有する。骨材２８は、ステンレスやスチール等の金属薄板によって形成され、その内側に乾燥剤２９を保持している。各保持部２８ａは、それぞれシール部材３２を介してガラス板３０，３１に固着されている（図３参照）。連結部２８ｂは、面材２６の外周端面で露出し、各框２４ａ〜２４ｂと対面している。連結部２８ｂの外面は、各ガラス板３０，３１の外周端面と面一に配置されている。連結部２８ｂの両端と各保持部２８ａとの間の屈曲部と各ガラス板３０，３１との間には、それぞれ断面略三角形状の空間が形成され、シール部材３４が設けられている。
【００２５】
上框２４ａ、下框２４ｂ及び縦框２４ｃは、アルミニウム等の金属の押出形材である。これら上框２４ａ、下框２４ｂ及び縦框２４ｃは、所定長さで切断した同一の枠部材によって形成され、その断面形状は同一となっている。
【００２６】
上框２４ａは、図１に示すように、見込み面に面材２６が配置される面材配置部３６を有する。面材配置部３６よりも室外側となる部分に保持片３８が設けられ、面材配置部３６の室内側端部に雌ねじ部４０が設けられている。面材配置部３６の内面には、面材２６側に向かって突出した一対の突部３６ａが設けられている。上框２４ａと面材２６（ガラス板３０）との間、及び上框２４ａと上枠１４ａとの間には、加熱されると膨張する熱膨張性部材４１が設けられている。熱膨張性部材４１は、熱により膨張する不燃性又は難燃性の部材であればよく、例えば、熱膨張性の黒鉛である。上記のように下框２４ｂ及び縦框２４ｃは、上框２４ａと同一の断面形状を有するため、それぞれ面材配置部３６、保持片３８、雌ねじ部４０及び熱膨張性部材４１を有する（図１及び図２参照）。
【００２７】
骨材２８の連結部２８ｂには、雌ねじ孔が形成されている。図１及び図２に示すように、各框２４ａ〜２４ｃと骨材２８の連結部２８ｂとの間は、ねじ４２によって連結固定される。これにより、各框２４ａ〜２４ｃが面材２６の四周端面を覆うように一体に取り付けられ、障子１６が構成される。さらに、各框２４ａ〜２４ｃとガラス板３０の端部側面との間は接着剤４３によって接着固定されている。なお、各框２４ａ〜２４ｃと骨材２８の連結部２８ｂとは、その長手方向（見付け方向）の複数位置でねじ４２によって締結されてもよい。ねじ４２は、金属製であり、不燃性又は難燃性を有する。
【００２８】
次に、以上のように構成された枠体１４への障子１６の取付構造、及び建具１０の躯体１２への取付構造について説明する。
【００２９】
図３は、図２に示す建具１０の一側部の拡大図である。
【００３０】
先ず、縦枠１４ｃには、図２及び図３に示すように、第１部材４４ａと、第２部材４４ｂと、第３部材４４ｃとが設けられている。これら第１部材４４ａ、第２部材４４ｂ及び第３部材４４ｃは、障子１６の縦框２４ｃと建物の躯体１２との間を連結する支持構造４４を構成する部材である。
【００３１】
第１部材４４ａは、ステンレスやスチール等の金属薄板で形成された断面Ｌ字状のブラケットであり、縦枠１４ｃと躯体１２との間に介在配置される。第２部材４４ｂは、例えば、ＭＤＦ（ｍｅｄｉｕｍ  ｄｅｎｓｉｔｙ  ｆｉｂｅｒｂｏａｒｄ）と称される木質繊維を原料とする成型板（中密度繊維板）をブロック状に形成したものであり、縦枠１４ｃの内部に配設される。本実施形態の場合、第２部材４４ｂに用いられるＭＤＦは、火災等によっても焼失しない難燃性又は不燃性を有するものとしている。第３部材４４ｃは、ステンレスやスチール等の金属薄板で形成された断面Ｌ字状のブラケットであり、障子配置部１８から突出部２０に渡って配置される。
【００３２】
第１部材４４ａは、枠体１４（縦枠１４ｃ）を躯体１２に固定するためのねじ４６を用いて躯体１２及び縦枠１４ｃと連結固定される。さらに、第１部材４４ａは、縦枠１４ｃを貫通するねじ４８によって第２部材４４ｂの外側面及び縦枠１４ｃと連結固定される。第３部材４４ｃは、縦枠１４ｃを貫通するねじ５０によって第２部材４４ｂの内側面及び縦枠１４ｃと連結固定される。さらに、第３部材４４ｃは、障子１６の縦框２４ｃに設けられた雌ねじ部４０に螺合するねじ５２によって縦框２４ｃ及び縦枠１４ｃと連結固定される。ねじ４６、ねじ４８及びねじ５２は、金属製であり、不燃性又は難燃性を有する。
【００３３】
このような支持構造４４により、図３に示すように障子１６の縦框２４ｃと躯体１２との間が、ねじ５２、第３部材４４ｃ、ねじ５０、第２部材４４ｂ、ねじ４８、第１部材４４ａ及びねじ４６によって順に連結される。この際、支持構造４４を構築する各部材や各ねじは、上記のように全て不燃性又は難燃性の材料によって構成されている。なお、支持構造４４は、障子１６の縦框２４ｃと縦枠１４ｃの長手方向（見付け方打項）で複数箇所に設けられてもよい。
【００３４】
また、縦框２４ｃには、一方のガラス板３０を挟んで骨材２８の保持部２８ａと対向する保持片３８が設けられている。すなわち、図３に示すように、保持片３８と保持部２８ａとは見込み方向で互いに対面しており、その間にガラス板３０を挟み込んでいる。
【００３５】
次に、上枠１４ａには、図１に示すように、第１部材４４ａと、第２部材４４ｂと、弾性係止部材５４とが設けられている。第１部材４４ａ及び第２部材４４ｂは、上記した縦枠１４ｃに設けられたものと同一のものである。
【００３６】
弾性係止部材５４は、ステンレスやスチール等の１枚或いは２枚の金属薄板をくの字状に接合した部材である。弾性係止部材５４の一方の薄板は、上枠１４ａの障子配置部１８に接触すると共に、その先端側がねじ５０によって上枠１４ａ及び第２部材４４ｂと連結固定される。弾性係止部材５４の他方の薄板は、その先端側が上框２４ａの面材配置部３６の外面で係止される。このような弾性係止部材５４は、２枚の金属薄板同士が互いに離間する方向（開き方向）の弾性付勢力を持って上枠１４ａと上框２４ａとの間に介在配置され、上框２４ａの上枠１４ａからの脱落を防止する。
【００３７】
次に、下枠１４ｂには、図１に示すように、第１部材４４ａと、第２部材５６と、係合台５８とが設けられている。第１部材４４ａは、上記した縦枠１４ｃに設けられたものと同一のものである。
【００３８】
第２部材５６は、略コの字状に成形した金属薄板によって形成されたブラケットであり、下枠１４ｂの内部に配設される。第２部材５６の外板５６ａは、ねじ４８によって第１部材４４ａ及び下枠１４ｂと連結固定される。下框２４ｂの下面には係合台５８が取り付けられる。係合台５８は、下枠１４ｂと同様な樹脂で成形された部材であり、その外側部分の突起が下枠１４ｂの障子配置部１８に形成された貫通孔に嵌合して位置決めされ、下枠２４ｂの下面と接合された状態で障子配置部１８に載置される。係合台５８は、下枠１４ｂと下框２４ｂとの間に介在配置され、下框２４ｂを下枠１４ｂに対して係合支持する機能を有する。
【００３９】
従って、面材２６を枠体１４に取り付ける際には、先ず、面材２６の下框２４ｂを枠体１４内へと挿入し、該下框２４ｂに固定された係合台５８を下枠１４ｂに載置させる。続いて、上框２４ａを枠体１４内へと挿入し、該上框２４ａを上枠１４ａに固定された弾性係止部材５４で抜け止め係止する。次に、ねじ５２を用いて左右の縦框２４ｃ，２４ｃを左右の縦枠１４ｃ，１４ｃに固定された第３部材４４ｃと固定する。これにより、面材２６の枠体１４への取り付けが完了する。なお、ねじ５２の縦框２４ｃへの締結作業のため、縦枠１４ｃの突出部２０にはねじ５２を挿入可能な見込み方向の貫通孔が形成されており、該貫通孔はねじ５２の締結作業完了後にキャップ５９によって封止される。
【００４０】
図４は、変形例に係る支持構造６０を備えた建具１０の一側部の拡大図である。
【００４１】
図３に示した支持構造４４では、第１部材４４ａと第３部材４４ｃとの間をＭＤＦによって形成された第２部材４４ｂで連結する構成を例示した。これに対して、図４に示す支持構造６０は、第２部材４４に代えて第２部材６２を備える。
【００４２】
第２部材６２は、略コの字状に成形したステンレスやスチール等の金属薄板によって形成されたブラケットであり、第２部材４４ｂに代えて縦枠１４ｃの内部に配設される。第２部材６２は、ねじ４８が螺合される雌ねじ孔が形成された外板６２ａと、ねじ５０が螺合される雌ねじ孔が形成された内板６２ｂとを有する。第２部材６２は、外板６２ａがねじ４８によって第１部材４４ａと連結固定され、内板６２ｂがねじ５０によって第３部材４４ｃと連結固定される。
【００４３】
このような支持構造６０によっても、図４に示すように障子１６の縦框２４ｃと躯体１２との間が、ねじ５２、第３部材４４ｃ、ねじ５０、第２部材６２、ねじ４８、第１部材４４ａ及びねじ４６によって順に連結される。この際、支持構造６０を構築する各部材や各ねじは、全て不燃性又は難燃性の材料によって構成されている。
【００４４】
以上のように、本実施形態に係る建具１０によれば、障子１６は、四周端部に配設される骨材２８によって互いに間隔を隔てて対面配置された一対のガラス板３０，３１と、骨材２８に連結され、一対のガラス板３０，３１の四周端面を覆うように設けられる上框２４ａ、下框２４ｂ及び縦框２４ｃとを有し、縦框２４ｃには、一方のガラス板３０を挟んで骨材２８と対向する保持片３８が設けられており、骨材２８及び縦框２４ｃは不燃性又は難燃性の材料によって形成されている。
【００４５】
このように、建具１０では、一対のガラス板３０，３１の間に設けられた骨材２８と面材２６の四周端面を覆う各框２４ａ〜２４ｃとが一体的に連結固定されている。このため、ガラス板３０，３１の運搬時等の取扱作業が容易になり、また設置現場での押縁の装着作業等が不要であることから設置作業の作業性も向上する。しかも、縦框２４ｃにガラス板３０を挟んで骨材２８と対向する保持片３８を設けると共に、骨材２８及び縦框２４ｃを不燃性又は難燃性の材料によって形成している。このため、枠体１４が溶融等した場合であっても保持片３８と骨材２８との間にガラス板３０を安定して保持しておくことができ、ガラス板３０の落下を防止できる。
【００４６】
なお、本実施形態の場合、網入りの厚板ガラスからなるガラス板３０と異なり、薄板ガラスからなる他方のガラス板３１は、室内火災の際に割れて崩れ落ちるため、ガラス板３０のような保持構造は設けていない。但し、縦框２４ｃの室内側にも保持片３８と同様な保持片を設け、該保持片と骨材２８の保持部２８ａとの間でガラス板３１を保持可能な構造としても勿論よい。
【００４７】
建具１０では、さらに、縦框２４ｃと建物の躯体１２との間を連結可能な支持構造４４（６０）を備え、該支持構造４４（６０）を不燃性又は難燃性の材料によって形成している。このため、建具１０が火災等を受けて枠体１４が溶融し或いは焼失した場合であっても、支持構造４４（６０）によって躯体１２と障子１６との間の連結状態を保持しておく防火構造が構築でき、障子１６の転倒や落下を防止できる。この際、上框２４ａと上枠１４ａとの間が、ステンレスやスチール等で形成された弾性係止部材５４によって支持されるため、枠体１４が溶融等した場合に障子１６をより安定して保持することができる。
【００４８】
建具１０では、骨材２８の連結部２８ｂは、一対のガラス板３０，３１の各端面と面一に配置されている。このように、面材２６の端面に連結部２８ｂを露出させておくことで、シール部材等を介在させることなく、連結部２８ｂと各框２４ａ〜２４ｃをねじ４２によって近接位置で直接的に連結固定することができる。これにより、枠体１４が火災等で溶融等した場合にも、各框２４ａ〜２４ｃと骨材２８（面材２６）との間にぐらつき等を生じることを防止でき、面材２６をより安定して保持しておくことができる。
【００４９】
建具１０において、各框２４ａ〜２４ｃとガラス板３１との間、及び各框２４ａ〜２４ｃと枠体１４との間には、加熱されると膨張する熱膨張性部材４１が設けられている。このため、建具１０が火災等の熱を受けた場合には、熱膨張性部材４１が膨張し、遮炎効果によって各框２４ａ〜２４ｃの損傷を抑えることができる。このため、不燃性又は難燃性を有するものの、ステンレスやスチールよりも耐熱性の低いアルミニウムの薄板で建具１０の外部に露出する各框２４ａ〜２４ｃを構成した場合であっても、各框２４ａ〜２４ｃが過度に高温となり、不具合を生じることを防止できる。なお、本実施形態では、上記のように熱膨張性部材４１を２箇所に設けた構成を例示したが、熱膨張性部材４１はいずれか１箇所又は３箇所以上に設けてもよい。
【００５０】
なお、本発明は、上記した実施形態に限定されるものではなく、本発明の主旨を逸脱しない範囲で自由に変更できることは勿論である。
【００５１】
例えば、上記実施形態では、建具１０として、障子１６を枠体１４の内側に固定した嵌め殺し窓を例示したが、縦框２４ｃの保持片３８と骨材２８との間でのガラス板３０の保持構造は、障子が可動する開閉窓等の建具対しても適用可能である。
【００５２】
上記実施形態では、建具１０の防火構造を構築する支持構造４４（６０）を左右の縦框２４ｃに対して設けた構成を例示したが、この支持構造４４（６０）は、上框２４ａや下框２４ｂに対して設けてもよい。
【符号の説明】
【００５３】
１０  建具、１２  躯体、１２ａ  開口部、１４  枠体、１４ａ  上枠、１４ｂ  下枠、１４ｃ  縦枠、１６  障子、２４ａ  上框、２４ｂ  下框、２４ｃ  縦框、２６  面材、２８  骨材、２８ａ  保持部、２８ｂ  連結部、３０，３１  ガラス板、３８  保持片、４１  熱膨張性部材、４２，４６，４８，５０，５２  ねじ、４４，６０  支持構造、４４ａ  第１部材、４４ｂ，５６，６２  第２部材、４４ｃ  第３部材
【図１】
2015190173.tif 000003
【図２】
2015190173.tif 000004
【図３】
2015190173.tif 000005
【図４】
2015190173.tif 000006